(57)【特許請求の範囲】
【請求項１】
デジタルＴＶ信号の再生システムにおいて、
前記デジタルＴＶ信号を受信し、所定の信号処理を行い、デジタルビデオ信号及びデジタルオーディオ信号に分離する信号分離手段と、
前記信号分離手段から出力される前記デジタルビデオ信号をアナログビデオ信号にデコーディングして、カラー別にＹ／Ｐｂ／Ｐｒ低周波アナログビデオ信号を出力するビデオデコーディング手段と、
前記信号分離手段から出力される前記デジタルオーディオ信号をアナログオーディオ信号にデコーディングする時、前記デジタルオーディオ信号を所定の周波数の複数のチャンネルに分けてデコーディングするオーディオデコーディング手段と、
前記ビデオデコーディング手段から出力されるカラー別Ｙ／Ｐｂ／Ｐｒ低周波アナログビデオ信号及び前記オーディオデコーディング手段から出力される複数のチャンネルにデコーディングされたアナログオーディオ信号を所定の中間周波数に応じてそれぞれ周波数変調する複数の周波数変調手段と、
前記複数の周波数変調手段のそれぞれで変調された信号を無線送信する無線送信手段と、
を有するコンピューターシステムと；
前記無線送信手段から送信されるＹ／Ｐｂ／Ｐｒアナログビデオ信号を無線受信する第１無線受信手段と、
前記第１無線受信手段にそれぞれ連結されて、受信したＹ／Ｐｂ／Ｐｒアナログビデオ信号をカラー別に周波数復調する第１周波数復調手段と、
前記無線送信手段から送信されるアナログオーディオ信号をそれぞれのチャンネル別に無線受信する複数の第２無線受信手段と、
前記複数の第２無線受信手段にそれぞれ連結されて、受信した当該チャンネル別のアナログオーディオ信号をそれぞれ周波数復調する複数の第２周波数復調手段と、
前記第１周波数復調手段及び第２周波数復調手段で復調されたビデオ信号及びオーディオ信号をそれぞれ受信して出力するディスプレイ部及びオーディオ信号出力部と、
を備えたディスプレイシステムと；
を含むことを特徴とするデジタルＴＶ信号の再生システム。
【請求項２】
前記信号分離手段は、
ＴＶ信号を受信するチューナーと、
前記チューナーから出力される高周波信号をＶＳＢアナログ信号に復調するＶＳＢ復調部と、
前記ＶＳＢアナログ信号をデジタル信号に変換するＶＩＴＥＲＢＩデコーダと、
前記ＶＩＴＥＲＢＩデコーダからのデジタルＴＶ信号をデジタルビデオ信号及びデジタルオーディオ信号に分離して出力するデマルチプレクサと、
を有するデジタルＴＶカードであること、
を特徴とする請求項１に記載のデジタルＴＶ信号の再生システム。
【請求項３】
前記ビデオデコーディング手段は、
前記デジタルＴＶカードから出力される前記デジタルビデオ信号をＲ／Ｇ／Ｂ信号にデコーディングするビデオデコーダと、
前記ビデオデコーダからのＲ／Ｇ／Ｂ信号をＹ／Ｐｂ／Ｐｒ低周波アナログビデオ信号に変換するビデオ信号変換部と、
を含むこと、を特徴とする請求項１又は請求項２に記載のデジタルＴＶ信号の再生システム。
【請求項４】
前記オーディオデコーディング手段は、前記デジタルＴＶカードから出力される前記デジタルオーディオ信号を５．１チャンネルに対応する６つの信号にデコーディングするＡＣ−３デコーダを含むこと、を特徴とする請求項１又は請求項２に記載のデジタルＴＶ信号の再生システム。
【請求項５】
前記オーディオ信号出力部は、５．１チャンネルのオーディオを支援する６つのスピーカーであること、を特徴とする請求項１に記載のデジタルＴＶ信号の再生システム。
【請求項６】
前記無線送信手段と前記第１無線受信手段と前記第２無線受信手段とは、それぞれ少なくとも一つのアンテナであること、を特徴とする請求項１に記載のデジタルＴＶ信号の再生システム。
【発明の詳細な説明】
【０００１】
【発明の属する技術分野】
本発明は、デジタルＴＶ信号の再生システムに係り、より詳細には、コンピューターシステムから無線送信したデジタルＴＶ信号を他のディスプレイ装置で受信して再生させることができるデジタルＴＶ信号の再生システム及び方法に関する。
【０００２】
【従来の技術】
ＴＶ信号の音声信号及び映像信号をデジタル化し、これをＭＰＥＧ−２圧縮方式で圧縮して送信するデジタル放送の開始に伴ない、デジタル化されたＴＶ信号を受信できる高画質のデジタルＴＶが市販されている。
【０００３】
デジタルＴＶの本体内には、圧縮されたデジタルＴＶ信号を受信して処理する信号処理部が設けられる。ところが、壁掛け型デジタルＴＶにおいては、デジタルＴＶ信号を処理するためのデジタル信号処理セットアップボックスが別途必要となる。
【０００４】
但し、デジタル信号処理セットアップボックスがなくても、コンピューター本体内にデジタルＴＶカードが設けられている場合は、コンピューターシステムをデジタルＴＶや映写機のような他のディスプレイ装置と連結することにより、デジタル放送を視聴することができる。
【０００５】
図７は、従来のデジタルＴＶ信号の再生システムである。デジタルＴＶカードからのデジタルＴＶ信号を、他のディスプレイ装置であるデジタルＴＶで視聴するためのコンピューターシステムについて、以下に説明する。
【０００６】
デジタル放送を表示するコンピューターシステムは、デジタルＴＶ信号を受信して、オーディオ信号とビデオ信号に分離するデジタルＴＶカード１１１と、デジタルＴＶカード１１１で圧縮されたビデオ信号をＭＰＥＧ−２（ＭｏｔｉｏｎＰｉｃｔｕｒｅ Ｅｘｐｅｒｔｓ Ｇｒｏｕｐ−２）方式でデコーディングしてＲ／Ｇ／Ｂ信号を出力するビデオデコーダ１１４と、ビデオデコーダ１１４からのＲ／Ｇ／Ｂ信号をＹ／Ｐｂ／Ｐｒ信号に変換するビデオ変換装置（図示せず）と、ビデオデコーダ１１４からのＲ／Ｇ／Ｂ信号を処理して、アナログ映像信号を出力するＶＧＡカード１１７と、ＶＧＡ（Ｖｉｄｅｏ Ｇｒａｐｈｉｃ Ａｄａｐｔｅｒ）カード１１７から送信されたアナログ映像信号を受信して画像を表示するモニター１１９と、から構成される。
【０００７】
ビデオ変換装置からのＹ／Ｐｂ／Ｐｒ信号は、デジタルＴＶ１２２に送信され、デジタルＴＶ１２２にＴＶ映像が表示される。また、デジタルＴＶカード１１１で分離されたオーディオ信号は、サウンドカード１１５でＳＰＤＩＦ（Ｓｏｎｙ Ｐｈｉｌｉｐｓ Ｄｉｇｉｔａｌ Ｉｎｔｅｒｆａｃｅ Ｆｏｒｍａｔ）信号に変換されてから、オーディオデコーダ１２３が設けられたオーディオ装置（アンプ）に送信され、５．１チャンネルのオーディオデータに分離されて、５．１チャンネルオーディオを形成する５つのスピーカー１２４〜１２８、及び低音スピーカー１２９を通じて出力される。
【０００８】
【発明が解決しようとする課題】
ところが、一般に、コンピューターはユーザー個人の部屋に設けられ、デジタルＴＶ及び５．１チャンネルオーディオを支援するオーディオ装置は、居間のような共同の空間に設けられるので、コンピューターをデジタルＴＶ及びオーディオ装置と接続させるには、複数のケーブルを用いて接続を行わなけなければならない。このような接続方法は、非常に煩わしい上に、室内の美観をも損ない、また、ケーブルの長さに比例して信号が劣化される可能性がある、という短所がある。
【０００９】
本発明の目的は、コンピューターシステムから無線送信したデジタルＴＶ信号を、遠隔のディスプレイシステムで受信して再生することができるデジタルＴＶ信号の再生システム及び方法を提供することである。
【００１０】
【課題を解決するための手段】
上記課題を解決するため、本出願の第１の観点によれば、デジタルＴＶ信号の再生システムにおいて、前記デジタルＴＶ信号を受信し、所定の信号処理を行い、デジタルビデオ信号及びデジタルオーディオ信号に分離する信号分離手段と、前記信号分離手段から出力される前記デジタルビデオ信号をアナログビデオ信号にデコーディングして、カラー別にＹ／Ｐｂ／Ｐｒ低周波アナログビデオ信号を出力するビデオデコーディング手段と、前記信号分離手段から出力される前記デジタルオーディオ信号をアナログオーディオ信号にデコーディングする時、前記デジタルオーディオ信号を所定の周波数の複数のチャンネルに分けてデコーディングするオーディオデコーディング手段と、前記ビデオデコーディング手段から出力されるカラー別Ｙ／Ｐｂ／Ｐｒ低周波アナログビデオ信号及び前記オーディオデコーディング手段から出力される複数のチャンネルにデコーディングされたアナログオーディオ信号を所定の中間周波数に応じてそれぞれ周波数変調する複数の周波数変調手段と、前記複数の周波数変調手段のそれぞれで変調された信号を無線送信する無線送信手段と、を有するコンピューターシステムと；前記無線送信手段から送信されるＹ／Ｐｂ／Ｐｒアナログビデオ信号を無線受信する第１無線受信手段と、前記第１無線受信手段にそれぞれ連結されて、受信したＹ／Ｐｂ／Ｐｒアナログビデオ信号をカラー別に周波数復調する第１周波数復調手段と、前記無線送信手段から送信されるアナログオーディオ信号をそれぞれのチャンネル別に無線受信する複数の第２無線受信手段と、前記複数の第２無線受信手段にそれぞれ連結されて、受信した当該チャンネル別のアナログオーディオ信号をそれぞれ周波数復調する複数の第２周波数復調手段と、前記第１周波数復調手段及び第２周波数復調手段で復調されたビデオ信号及びオーディオ信号をそれぞれ受信して出力するディスプレイ部及びオーディオ信号出力部と、を備えたディスプレイシステムと；を含むことを特徴とするデジタルＴＶ信号の再生システムが提供される。
【００１１】
上記記載の発明では、コンピューターシステムにおいて、受信したデジタルＴＶ信号を周波数変調されたカラー別のＹ／Ｐｂ／Ｐｒビデオ信号と複数チャンネルのオーディオ信号に変換してディスプレイシステムへ無線送信し、ディスプレイシステムにおいて、送信されたそれぞれの信号を受信して周波数復調した後に、ビデオ信号及びオーディオ信号をそれぞれディスプレイ部及びオーディオ出力部に出力することにより、デジタルＴＶ信号を再生することができる。このように、コンピューターシステムとディスプレイシステム間のＴＶ信号の送受信を無線で行うことができるため、コンピューターシステムとディスプレイシステム間のケーブルによる配線をなくすことができる。
【００１２】
ここで、前記信号分離手段は、ＴＶ信号を受信するチューナーと、前記チューナーから出力される高周波信号をＶＳＢアナログ信号に復調するＶＳＢ復調部と、前記ＶＳＢアナログ信号をデジタル信号に変換するＶＩＴＥＲＢＩデコーダと、前記ＶＩＴＥＲＢＩデコーダからのデジタルＴＶ信号をデジタルビデオ信号及びデジタルオーディオ信号に分離して出力するデマルチプレクサと、を有するデジタルＴＶカードである、如く構成すれば、コンピューターシステムにおいて、デジタルＴＶ信号を受信して処理し、デジタルビデオ信号とデジタルオーディオ信号に分離されたデジタルＴＶ信号を得ることができる。
【００１３】
前記ビデオデコーディング手段は、前記デジタルＴＶカードから出力される前記デジタルビデオ信号をＲ／Ｇ／Ｂ信号にデコーディングするビデオデコーダと、前記ビデオデコーダからのＲ／Ｇ／Ｂ信号をＹ／Ｐｂ／Ｐｒ低周波アナログビデオ信号に変換するビデオ信号変換部と、を含む、如く構成すれば、カラー別に分離されたＹ／Ｐｂ／Ｐｒ信号を得ることができる。
【００１４】
前記オーディオデコーディング手段は、前記デジタルＴＶカードから出力される前記デジタルオーディオ信号を５．１チャンネルに対応する６つの信号にデコーディングするＡＣ−３デコーダを含む、如く構成すれば、所定の周波数の複数のチャンネルのオーディオ信号を得ることができる。
【００１５】
また、前記オーディオ信号出力部は、５．１チャンネルのオーディオを支援する６つのスピーカーである、如く構成すれば、５つのスピーカー及び１つのウーファー（低音スピーカー）によって高品質なデジタルサウンドを効果的に出力することができる。
【００１６】
前記無線送信手段と前記第１無線受信手段と前記第２無線受信手段とは、それぞれ少なくとも一つのアンテナである、如く構成すれば、周波数変調されたデジタルビデオ信号とデジタルオーディオ信号を無線で送信及び受信することができる。
【００１７】
本出願の第２の観点によれば、デジタルＴＶ信号の再生システムにおいて、前記デジタルＴＶ信号を受信し、所定の信号処理過程を通じてデジタルビデオ信号を分離して出力するビデオ信号発生手段と、前記ビデオ信号発生手段から出力される前記デジタルビデオ信号をアナログビデオ信号にデコーディングして、カラー別に低周波アナログビデオ信号を出力するビデオデコーディング手段と、前記ビデオデコーディング手段から出力されるカラー別低周波アナログ信号を所定の中間周波数に応じてそれぞれ周波数変調する複数の周波数変調手段と、前記複数の周波数変調手段のそれぞれで変調された信号を無線送信する無線送信手段と、を有するコンピューターシステムと；前記無線送信手段から送信されるアナログビデオ信号を無線受信する無線受信手段と、前記無線受信手段にそれぞれ連結されて、受信したアナログビデオ信号をカラー別に周波数復調する複数の周波数復調手段と、前記周波数復調手段で復調されたビデオ信号を受信して出力するディスプレイ部と、を備えたディスプレイシステムと；を含むことを特徴とするデジタルＴＶ信号の再生システムが提供される。
【００１８】
上記記載のデジタルＴＶ信号の再生システムでは、コンピューターシステムにおいて受信したデジタルＴＶ信号からデジタルビデオ信号をのみを取り出し、周波数変調されたカラー別のビデオ信号に変換してディスプレイシステムへ無線送信し、ディスプレイシステムにおいてカラー別のビデオ信号を受信して周波数復調した後に、ビデオ信号をディスプレイ部に出力することにより、デジタルＴＶ信号の映像を再生することができる。このように、コンピューターシステムとディスプレイシステム間のＴＶ信号の映像部分の送受信を無線で行うことができるため、コンピューターシステムとディスプレイシステムのディスプレイ部とをケーブルで配線する必要がなくなる。
【００１９】
ここで、前記ビデオ信号発生手段は、ＴＶ信号を受信するチューナーと、前記チューナーから出力される高周波信号をＶＳＢアナログ信号に復調するＶＳＢ復調部と、前記ＶＳＢアナログ信号をデジタル信号に変換するＶＩＴＥＲＢＩデコーダと、前記ＶＩＴＥＲＢＩデコーダからのデジタルＴＶ信号をデジタルビデオ信号及びデジタルオーディオ信号に分離して出力するデマルチプレクサと、を有するデジタルＴＶカードである、如く構成すれば、コンピューターシステムにおいて、デジタルＴＶ信号を受信して処理し、デジタルビデオ信号のみを取り出して得ることができる。
【００２０】
前記ビデオデコーディング手段は、前記デジタルＴＶカードから出力される前記デジタルビデオ信号をＲ／Ｇ／Ｂ信号にデコーディングするビデオデコーダと、前記ビデオデコーダからのＲ／Ｇ／Ｂ信号をＹ／Ｐｂ／Ｐｒ低周波アナログビデオ信号に変換するビデオ信号変換部と、を含む、如く構成すれば、カラー別に分離されたＹ／Ｐｂ／Ｐｒ信号を得ることができる。
【００２１】
本出願の第３の観点によれば、デジタルＴＶ信号の再生システムにおいて、前記デジタルＴＶ信号を受信し、所定の信号処理過程を通じてデジタルオーディオ信号を分離して出力するオーディオ信号発生手段と、前記オーディオ信号発生手段から出力される前記デジタルオーディオ信号をアナログオーディオ信号にデコーディングする時、前記デジタルオーディオ信号を所定の周波数の複数のチャンネルに分けてデコーディングするオーディオデコーディング手段と、前記オーディオデコーディング手段から出力される複数のチャンネルにデコーディングされたアナログオーディオ信号を所定の中間周波数に応じてそれぞれ周波数変調する複数の周波数変調手段と、前記複数の周波数変調手段のそれぞれで変調された信号を無線送信する無線送信手段と、を有するコンピューターシステムと；前記無線送信手段から送信されるアナログオーディオ信号をそれぞれのチャンネル別に無線受信する複数の無線受信手段と、前記複数の無線受信手段にそれぞれ連結されて、受信した当該チャンネル別のアナログオーディオ信号をそれぞれ周波数復調する複数の周波数復調手段と、前記周波数復調手段で復調されたオーディオ信号をそれぞれ受信して出力するオーディオ信号出力部と、を備えたオーディオシステムと；を含むことを特徴とするデジタルＴＶ信号の再生システムが提供される。
【００２２】
上記記載のデジタルＴＶ信号の再生システムでは、コンピューターシステムにおいて受信したデジタルＴＶ信号からデジタルオーディオ信号をのみを取り出し、周波数変調された複数のチャンネルのオーディオ信号に変換してオーディオシステムへ無線送信し、オーディオシステムにおいて複数のチャンネルのオーディオ信号を受信して周波数復調した後に、オーディオ信号をオーディオ出力部に出力することにより、デジタルＴＶ信号の音声をオーディオシステムの複数のスピーカーで再生することができる。このように、コンピューターシステムとオーディオシステム間のＴＶ信号の音声部分の送受信を無線で行うことができるため、コンピューターシステムとオーディオシステムの複数のスピーカーとの間をケーブルで配線する必要がなくなる。
【００２３】
ここで、前記オーディオ信号発生手段は、ＴＶ信号を受信するチューナーと、前記チューナーから出力される高周波信号をＶＳＢアナログ信号に復調するＶＳＢ復調部と、前記ＶＳＢアナログ信号をデジタル信号に変換するＶＩＴＥＲＢＩデコーダと、前記ＶＩＴＥＲＢＩデコーダからのデジタルＴＶ信号をデジタルビデオ信号及びデジタルオーディオ信号に分離して出力するデマルチプレクサと、を有するデジタルＴＶカードである、如く構成すれば、コンピューターシステムにおいて、デジタルＴＶ信号を受信して処理し、デジタルオーディオ信号のみを取り出して得ることができる。
【００２４】
前記オーディオデコーディング手段は、前記デジタルＴＶカードから出力される前記デジタルオーディオ信号を５．１チャンネルに対応する６つの信号にデコーディングするＡＣ−３デコーダを含む、如く構成すれば、所定の周波数の複数のチャンネルのオーディオ信号を得ることができる。
【００２５】
また、前記オーディオ信号出力部は、５．１チャンネルのオーディオを支援する６つのスピーカーである、如く構成すれば、５つのスピーカー及び１つのウーファー（低音スピーカー）によって高品質なデジタルサウンドを効果的に出力することができる。
【００２６】
本出願の第４の観点によれば、デジタルＴＶ信号の再生方法において、ＴＶ信号を受信し、所定の信号処理を行い、デジタルビデオ信号及びデジタルオーディオ信号に分離する段階と、前記デジタルビデオ信号をカラー別に低周波アナログビデオ信号にデコーディングする段階と、前記デジタルオーディオ信号を所定の周波数の複数のチャンネルに分けてデコーディングする段階と、前記低周波アナログビデオ信号及び前記デコーディングされたオーディオ信号をそれぞれ所定の中間周波数を有する高周波信号に変調する段階と、前記周波数変調されたビデオ信号及びオーディオ信号のうちいずれか一つを無線送信する段階と、前記送信されたビデオ信号とオーディオ信号のうち少なくともいずれか一つを受信して復調する段階と、前記復調されたビデオ信号とオーディオ信号のうち少なくともいずれか一つを当該ディスプレイ部及びオーディオ信号出力部にそれぞれ出力する段階と、を含むことを特徴とするデジタルＴＶ信号の再生方法が提供される。
【００２７】
上記記載のデジタルＴＶ信号の再生方法では、コンピューターシステムで受信したデジタルＴＶ信号を周波数変調されたカラー別のビデオ信号と複数チャンネルのオーディオ信号に変換してディスプレイシステムへ無線送信し、ディスプレイシステムでそれぞれの信号を受信して周波数復調した後に、ビデオ信号及びオーディオ信号をそれぞれディスプレイ部及びオーディオ出力部に出力することにより、デジタルＴＶ信号を再生するルＴＶ信号を再生することができるので、コンピューターシステムとディスプレイシステム間をケーブルで配線する必要がなくなる。
【００２８】
【発明の実施の形態】
以下、添付した図面を参照して本発明の実施の形態について詳細に説明する。
【００２９】
図１は、本実施形態にかかるデジタルＴＶ信号の再生システムのブロック図である。図面に示したように、本実施形態にかかるデジタルＴＶ信号の再生システムは、受信したデジタルＴＶ信号を周波数変調されたカラー別のビデオ信号と複数チャンネルのオーディオ信号に変換してディスプレイシステムへ無線送信するコンピューターシステム１と、送信されたそれぞれの信号を受信して周波数復調してデジタルＴＶ信号を再生するディスプレイシステム２と、により構成される。
【００３０】
コンピューターシステム１は、デジタルＴＶカード１１と、デジタルＴＶカード１１から出力されるビデオ信号及びオーディオ信号を複数のチャンネルに分けて高周波信号に変調する複数の変調部を有する無線モジュール１８と、変調部で変調された信号を無線送信するアンテナ１９と、から構成される。ディスプレイシステム２は、コンピューターシステム１から送信されたデジタルＴＶ信号を受信するアンテナ２０及びアンテナ２３ａ〜２３ｆと、アンテナを通じて受信した高周波信号を復調するビデオ復調部２１及びオーディオ復調部２４〜２９と、復調部で復調されたビデオ信号を表示するディスプレイ部２２と、復調部で復調されたオーディオ信号を出力するオーディオ信号出力部と、から構成される。
【００３１】
デジタルＴＶカード１１は、ＴＶ信号を受信するチューナー１１ａと、チューナー１１ａから出力される高周波信号をＶＳＢ（Ｖｅｓｔｉｇｉａｌ Ｓｉｄｅ Ｂａｎｄ）アナログ信号に復調するＶＳＢ復調部１１ｂと、前記ＶＳＢアナログ信号をデジタル信号に変換するＶＩＴＥＲＢＩデコーダ１１ｃと、ＶＩＴＥＲＢＩデコーダ１１ｃから出力されるデジタルＴＶ信号をデジタルビデオ信号及びデジタルオーディオ信号に分離するデマルチプレクサ１１ｄと、を有する。
【００３２】
デジタルＴＶカード１１から出力される圧縮されたオーディオ信号は、ＡＣ−３デコーダ１３により、５．１チャンネルの複数のチャンネルに分けてデコーディングされる。デジタルＴＶカード１１から出力される圧縮されたビデオ信号は、ビデオデコーダ１４により、ＭＰＥＧ−２を利用してデコーディングされる。ビデオデコーダ１４でデコーディングされたＲ／Ｇ／Ｂカラー信号は、ビデオ信号変換部１５により、Ｙ／Ｐｂ／Ｐｒ信号に変換される。ＡＣ−３デコーダ１３からのオーディオ信号、及びビデオ信号変換部１５からのＹ／Ｐｂ／Ｐｒ信号は、無線モジュール１８により、ＦＭ変調される。無線モジュール１８によりＦＭ変調された信号は、アンテナ１９により、無線送信される。
【００３３】
無線モジュール１８は、ビデオ信号変換部１５からのＹ／Ｐｂ／Ｐｒ信号をｆｃ１／ｆｃ２／ｆｃ３の中間周波数を有する高周波信号にそれぞれ変調する第１〜３変調部からなるビデオ変調部と、ＡＣ−３デコーダ１３でデコーディングされた６つのチャンネルのオーディオ信号をｆｃ４／ｆｃ５／ｆｃ６／ｆｃ７／ｆｃ８／ｆｃ９の中間周波数を有する高周波信号にそれぞれ変調する第４〜９変調部からなるオーディオ変調部と、をさらに含む。
【００３４】
ディスプレイシステム２には、コンピューターシステム１から送信されたＹ／Ｐｂ／Ｐｒ信号を受信するアンテナ２０と、アンテナ２０により受信したＹ／Ｐｂ／Ｐｒ高周波信号を当該チャンネル別にそれぞれ受信して、元の低周波信号に復調する第１〜３復調部２１と、コンピューターシステム１から送信された６つのチャンネルのオーディオ信号を受信するアンテナ２３ａ〜２３ｆと、アンテナ２３ａ〜２３ｆにより受信した６つのチャンネルの高周波信号を当該チャンネル別にそれぞれ受信して、元の低周波信号に復調する第４〜９復調部（符号２４〜２９）と、が設けられており、第１〜３復調部２１により復調されたＹ／Ｐｂ／Ｐｒ信号はディスプレイ部２２に表示され、第４〜９復調部（２４〜２９）により復調されたオーディオ信号はオーディオ信号出力部に出力される。
【００３５】
本実施の形態によるディスプレイ部２２は、Ｙ／Ｐｂ／Ｐｒビデオ信号を処理して表示するデジタルＴＶ２２である。
【００３６】
本実施の形態によるオーディオ信号出力部は、サウンドを出力するための室内の特定位置に設けられる、５．１チャンネルを支援する６つのスピーカー（図示せず）である。即ち、ＴＶ視聴者の前方に設けられる三つのスピーカー（前左、前中央、前右）と、後方に設けられる二つのスピーカー（後左、後右）と、低音を出力するスピーカーであるウーファーと、から構成される。
【００３７】
オーディオ信号出力部の各スピーカーは、５．１チャンネルを支援するスピーカーとして、コンピューターシステム１のアンテナ１９から送信されるオーディオ信号をチャンネル別に受信するアンテナ（符号２３ａ〜２３ｆ）と連結されて、更にアンテナ２３ａ〜２３ｆで受信した高周波信号を当該チャンネル別に復調する第４〜９復調部（符号２４〜２９）に連結されて設けられる。
【００３８】
図２は、図１の無線モジュール１８内のオーディオ変調部である第４〜９変調部のそれぞれのＦＭ変調ブロック図であり、図３は、図１のオーディオ復調部である第４〜９復調部のそれぞれのＦＭ復調ブロック図である。
【００３９】
オーディオ信号の変調処理においては、図２に示したように、アナログオーディオ信号は、先ず積分器３１及び増幅器３２を通過する。次に、発振器３３で発生されたサイン波と掛け合わされて負数に変換された信号と、発振器３３からのサイン波を９０゜位相変換した信号とを加え、そして周波数乗算器３５を通過することにより、希望する周波数帯域の信号に変換される。続いて、変換された信号は、ミキサー発振器３６で発生されたサイン波とミキシングされて、高周波信号に変換され、バンドパスフィルター３７を経て、所定の中間周波数を有する高周波に周波数変調されたＦＭ（Ｆｒｅｑｕｅｎｃｙ Ｍｏｄｕｌａｔｉｏｎ）信号として出力される。
【００４０】
また、オーディオ信号の復調処理においては、図３に示したように、ＦＭ変調された高周波のオーディオ信号は、先ずＲＦ（Ｒａｄｉｏ Ｆｒｅｑｕｅｎｃｙ）増幅器４１に入力されて増幅され、増幅された信号はミキサー４２によりローカル発振器４３で発生されたサイン波とミキシングされて、中間周波数に変換される。変換された信号は、ＩＦ（Ｉｎｔｅｒｍｅｄｉａｔｅ Ｆｒｅｑｕｅｎｃｙ）増幅器４４と制限器４５を経て、バンドパスフィルター４６に入力されて特定周波数帯域の信号にフィルタリングされた後、微分器４７により微分され、包絡線感知器４８により包絡線感知されて、低周波のアナログオーディオ信号に復調される。
【００４１】
図４は、図１の無線モジュール１８内のビデオ変調部である第１〜３変調部のそれぞれのＦＭ変調ブロック図であり、図５は、図１のビデオ復調部（符号２１）である第１〜３復調部のそれぞれのＦＭ復調ブロック図である。
【００４２】
ビデオ信号の変調処理においては、図４に示したように、ビデオ信号は、発振器５１で発生されたサイン波と掛け合わされて、ヒルベルト変換フィルター５３を通過することにより、ＶＳＢ信号に変調される。
【００４３】
また、ビデオ信号の復調処理においては、図５に示したように、高周波にＦＭ変調されたビデオ信号（ＮＴＳＣ）が、ＲＦ増幅器６３により増幅されて、発振器６１で発生されたサイン波と掛け合わされて、ローパスフィルター６５を経ることにより、低周波のアナログビデオ信号に復調される。
【００４４】
図６は本実施形態にかかるデジタルＴＶ信号の再生方法を示したフローチャートである。ステップ１〜ステップ１５は、コンピューターシステム１で行われる過程であり、ステップ１７〜ステップ２１は、ディスプレイシステム２で行われる過程である。
【００４５】
チューナー１１ａがＴＶ信号を受信すると（Ｓ１）、ＶＳＢ復調部１１ｂがＴＶ信号をＶＳＢアナログ信号に復調し（Ｓ３）、ＶＩＴＥＲＢＩデコーダ１１ｃがＶＳＢアナログ信号をデジタル信号に変換し、デマルチプレクサ１１ｄを通じてビデオ信号とオーディオ信号に分離して出力する（Ｓ５）。次に、デマルチプレクサ１１ｄにより分離されたビデオ信号を、ビデオデコーダ１４でＭＰＥＧ−２を用いてＲ／Ｇ／Ｂカラー信号に変換し、ビデオ信号変換部１５でＲ／Ｇ／Ｂカラー信号をＹ／Ｐｂ／Ｐｒ信号に変換して（Ｓ７）、無線モジュール１８の第１〜３変調部に送信する。同時に、デマルチプレクサ１１ｄにより分離されたオーディオ信号を、ＡＣ−３デコーダ１３で５．１チャンネルの複数のチャンネルに分けてオーディオ信号にデコーディングして（Ｓ１１）、無線モジュール１８の第４〜９変調部に送信する。次に、第１〜３変調部に入力されたＹ／Ｐｂ／Ｐｒビデオ信号は、互いに異なる中間周波数を有する高周波信号にそれぞれＦＭ変調され（Ｓ９）、第４〜９変調部に入力されたオーディオ信号も互いに異なる中間周波数を有する高周波信号にそれぞれＦＭ変調される（Ｓ１３）。そして、無線モジュール１８の第１〜９変調部で変調された信号はアンテナ１９を通じてディスプレイシステム２に送信される（Ｓ１５）。
【００４６】
コンピュータシステム１より送信された高周波信号のうち、ビデオ信号は、ディスプレイシステム２のアンテナ２０を通じて受信され、オーディオ信号は、ディスプレイシステム２の５．１チャンネルを支援する各スピーカーに連結されたアンテナ２３ａ〜ｆを通じて受信される（Ｓ１７）。受信したビデオ信号は、第１〜３復調部２１を通じてＹ／Ｐｂ／Ｐｒ信号にそれぞれ復調されて、ディスプレイ部２２に出力される（Ｓ１９）。同時に、受信したオーディオ信号は第４〜９復調部２４〜２９を通じて元の低周波アナログオーディオ信号に復調され、６つのスピーカーに出力される（Ｓ２１）。
【００４７】
以上、本発明に係る好適な実施の形態について説明したが、本発明はかかる構成に限定されない。当業者であれば、特許請求の範囲に記載された技術思想の範囲内において、各種の修正例および変更例を想定し得るものであり、それらの修正例および変更例についても本発明の技術範囲に包含されるものと了解される。
【００４８】
【発明の効果】
上記記載の発明では、コンピューターシステムにおいて、受信したデジタルＴＶ信号を周波数変調されたカラー別のビデオ信号と複数チャンネルのオーディオ信号に変換してディスプレイシステムへ無線送信し、ディスプレイシステムにおいて、送信されたそれぞれの信号を受信して周波数復調してデジタルＴＶ信号を再生することができる。このような構成により、コンピューターシステムで受信したデジタルＴＶ信号を遠隔のディスプレイシステムで視聴する場合、コンピューターシステムとディスプレイシステム間のＴＶ信号の送受信を無線で行うことができるため、コンピューターシステムとディスプレイシステム間のケーブルによる配線をなくすことができる。
【図面の簡単な説明】
【図１】本実施形態にかかるデジタルＴＶ信号の再生システムのブロック図である。
【図２】図１のオーディオ変調部（第４〜９変調部）それぞれのＦＭ変調ブロック図である。
【図３】図１のオーディオ復調部（第４〜９復調部）それぞれのＦＭ復調ブロック図である。
【図４】図１のビデオ変調部（第１〜３変調部）それぞれのＦＭ変調ブロック図である。
【図５】図１のビデオ復調部（第１〜３復調部）それぞれのＦＭ復調ブロック図である。
【図６】本実施形態にかかるデジタルＴＶ信号の再生方法を示したフローチャートである。
【図７】従来のデジタルＴＶ信号の再生システムである。
【符号の説明】
１              コンピューターシステム
２              ディスプレイシステム
１１            デジタルＴＶカード
１１ａ          チューナー
１１ｂ          ＶＳＢ復調部
１１ｃ          ＶＩＴＥＲＢＩデコーダ
１１ｄ        デマルチプレクサ
１３            ＡＣ−３デコーダ
１４            ビデオデコーダ
１５            ビデオ信号変換部
１８            無線モジュール
１９、２０      アンテナ
２１            ビデオ復調部
２２            ディスプレイ部
２３ａ〜２３ｆ  アンテナ
２４〜２９      オーディオ復調部
【図１】
0003686612.tif 000002
【図２】
0003686612.tif 000003
【図３】
0003686612.tif 000004
【図４】
0003686612.tif 000005
【図５】
0003686612.tif 000006
【図６】
0003686612.tif 000007
【図７】
0003686612.tif 000008